(57)【要約】【課題】  肛門を広げたときの内圧を測定することによって、肛門の広狭の程度を肛門の内圧を指標として知ることを可能とした肛門内圧測定器である。【解決手段】  測定鉗子２は、中間の突き当て部４を枢着した互いに対向する１対の鉗子部材３を備え、各鉗子部材３の突き当て部４よりも先端側は、先端に押圧片９を取付けた支持部５に形成され、基端側は手で握る把持部７に形成されている。一方の鉗子部材３の把持部７に歪ゲージ１２が取付けられ、歪ゲージ１２に表示器１４が電気的に接続されている。鉗子２は、把持部７を閉じると支持部５が開いて、押圧片９が開く。肛門内に押圧片９を挿入して肛門を開いて行き、肛門の内壁から押圧片９にかかる圧力（内圧）を一方の鉗子部材３の把持部７の歪として歪ゲージ１２で測定し、表示器１４に肛門の内圧をデジタル表示する。【選択図】        図１
2007054248.tif 000002
【特許請求の範囲】
【請求項１】
肛門内に挿入する押圧片を先端に支持した支持部を一端側に形成し、他端側に手で握る把持部を形成した１対の鉗子部材を、前記支持部と把持部との間に形成した突合せ部で互いに突き合わせて枢着した、把持部を互いに内側方向に閉じると支持部が互いに外側方向に開く測定鉗子と、前記肛門内に挿入した前記押圧片で前記肛門の内壁を押圧することによって前記内壁から前記押圧片にかかる前記肛門の内圧を一方の鉗子部材の把持部の歪として測定する、前記一方の鉗子部材の把持部に取り付けられた歪ゲージと、前記歪ゲージからの測定信号を処理して前記肛門の内圧を数値で表示する、前記歪ゲージに電気的に接続された表示器とを備えたことを特徴とする肛門内圧測定器。
【発明の詳細な説明】
【技術分野】
【０００１】
本発明は、肛門の内圧を測定する測定器に関する。
【背景技術】
【０００２】
肛門の内側や直腸の病気の検査、治療に肛門鏡が用いられているが、肛門鏡を挿入して肛門内を覗く場合、肛門が狭い人は肛門鏡で広げるにも限界があり、肛門内を見ることができない。
【０００３】
従来、肛門が狭いか広いかの程度、つまり肛門の太さは、円錐体の外周面の長手方向に沿った複数箇所に外径数値を表示した測定具を肛門に入れて、どの数値のところまで円錐体が入ったかによって測定していた。しかし、円錐体の挿入では、肛門内の組織が硬くなって弾力性が低下しているなどの状況までは分からず、肛門の広狭の程度を正確に測定できない。そこで、医師が肛門に指を１本、２本と入れて、肛門の内壁が指を押圧する感触から、指１本分の大きさ、指２本分の大きさ等々といった評価法をしているのが実情であった。
【発明の開示】
【発明が解決しようとする課題】
【０００４】
本発明の課題は、上述の現状に鑑み、肛門を広げたときの内圧を測定することによって、肛門の広狭の程度を肛門の内圧を指標として知ることを可能とした肛門内圧測定器を提供することである。
【課題を解決するための手段】
【０００５】
上記課題を解決するために、本発明の肛門内圧測定器は、肛門内に挿入する押圧片を先端に支持した支持部を一端側に形成し、他端側に手で握る把持部を形成した１対の鉗子部材を、前記支持部と把持部との間に形成した突合せ部で互いに突き合わせて枢着した、把持部を互いに内側方向に閉じると支持部が互いに外側方向に開く測定鉗子と、前記肛門内に挿入した前記押圧片で前記肛門の内壁を押圧することによって前記内壁から前記押圧片にかかる前記肛門の内圧を一方の鉗子部材の把持部の歪として測定する、前記一方の鉗子部材の把持部に取り付けられた歪ゲージと、前記歪ゲージからの測定信号を処理して前記肛門の内圧を数値で表示する、前記歪ゲージに電気的に接続された表示器とを備えたことを特徴とする。
【０００６】
上記の測定鉗子の支持部先端の押圧片を肛門内に挿入し、把持部を手で閉じて支持部を開いて、支持部先端の押圧片で肛門を押し広げていくと、肛門の内壁から押圧片に押圧力と釣り合う圧力がかかる。この押圧片による内壁の押圧力は把持部に手で加えた閉じる力に比例するから、把持部に生じる歪を歪ゲージで検出すれば肛門の内圧が測定され、表示器に内圧の数値がデジタル表示される。したがって、肛門の内圧の数値を見ながら、あるいは数値の視認と把持部を閉める手に伝わる感覚とで、押圧片によって肛門を最大に開いたと推認されたら、そのときの肛門の内圧の数値を読めば、肛門の広狭の程度を肛門の内圧を指標として知ることができる。
【発明の効果】
【０００７】
本発明の肛門内圧測定器によれば、肛門を広げたときの内圧を測定することによって、肛門の広狭の程度を肛門の内圧を指標として知ることができる。
【発明を実施するための最良の形態】
【０００８】
以下、本発明の実施例を図面に基づき詳述する。図１は、本発明の肛門内圧測定器の一実施例の全体を示す平面図、図２は、同じく測定器の測定鉗子の部分を示す斜視図である。本内圧測定器１は、測定鉗子２と、測定鉗子２に取り付けられた歪ゲージ１２と、歪ゲージ１２に電気的に接続されたデジタル表示器１４とからなっている。
【０００９】
測定鉗子２は、中間の突き当て部４を枢着した互いに対向する１対の鉗子部材３を備える。各鉗子部材３の突き当て部４よりも先端側は、外側に湾曲した支持部５に形成され、支持部５の先端に押圧片９が取付けられている。鉗子部材３の基端側は、手で握る直線状の把持部７に形成され、把持部７の基端には、指を入れるループ８が設けられている。
【００１０】
一方の鉗子部材３の突合せ部４には、平行な２つの鍔部４ａが設けられ、該鍔部４ａで他方の鉗子部材３の突合せ部４を挟んで２つの突合せ部４が重ねられ、重ねられた突合せ部４をピン６で枢着される。測定端子２は、各鉗子部材３の把持部７を手で握って内側方向に閉じると、突合せ部４を支点として支持部５が外側方向に開き、支持部５の先端の押圧片９が外側方向に開く。把持部７を外側方向に開けば、支持部５が内側方向に閉じ、押圧片９が内側方向に閉じる。
【００１１】
支持部５の湾曲部に続く先端部は、前方に突出した取付け面５ａに形成され、その取付け面５ａの内側に押圧片９の基端部がピン１０によって取付けられている。ピン１０による押圧片９の締結力は、押圧片９を手で力を入れてピン１０の回りに回動して、２つの支持部５が作る平面に対する押圧片９の角度を変更可能なように調節されている。押圧片９は、基端側の直線部９ａと、その先の外側に湾曲した小さな接触部９ｂとからなっている。押圧片９は、図３に示すように、患者の肛門１６内に挿入して、接触部９ｂで肛門１６の内壁１６ａに接触し、内壁１６ａを押圧して押し広げるにように使用される。
【００１２】
歪ゲージ１２は、一方の鉗子部材３の把持部７に取付けられている。一方の鉗子部材３の把持部７の外側面には、長手方向に間隔を開けて２個の取付けブロック１３がねじ止めされており、歪ゲージ１２は、この２個の取付けブロック１３に跨らせて、把持部７にねじ止めされる。歪ゲージ１２には、金属箔などからなる歪ゲージ本体と、該ゲージ本体の歪で生じた該ゲージ本体の抵抗変化を電圧に変換して検出するホイーストンブリッジ回路と、外部電源端子や信号端子等その他の必要な部材とが装備されている。
【００１３】
把持部７を握った手に力を入れて閉じ方向に移動して、肛門１６に挿入した押圧片９を開き方向に移動し、押圧片９で肛門の内壁１６ａを押圧して押し広げると、押圧片９には、肛門の内壁１６ａから押圧片９による押圧力と釣り合う圧力、つまり肛門１６の内圧がかかり、一方、把持部７は加えた力の分だけ歪む。この押圧片９による内壁１６ａの押圧力は、把持部７を手で閉じる力に比例し、把持部７に生じる歪に比例するから、肛門の内圧は、把持部７に生じる歪みに比例する。したがって、把持部７の歪を歪ゲージ１２で検出すれば、肛門の内圧が測定される。
【００１４】
表示器１４は、給電線および信号線を含む複数本のケーブル１５で歪ゲージ１２に接続されている。表示器１４には、信号処理回路、電源回路その他の必要な機器要素が装備されており、歪ゲージ１２から送られた肛門の内圧測定信号を処理して、液晶表示部１４ａに肛門の内圧を数値でデジタル表示する。
【００１５】
したがって、表示器１４に表示される肛門の内圧の数値を見ながら、あるいは数値の視認と把持部７を閉める手に伝わる感覚とで、押圧片９によって肛門を最大に開いたと推認されたら、そのときの肛門の内圧の数値を読めば、肛門の広狭の程度を肛門の内圧を指標として知ることができる。
【図面の簡単な説明】
【００１６】
【図１】本発明の肛門内圧測定器の一実施例の全体を示す平面図である。
【図２】図１の測定器の測定鉗子の部分を示す斜視図である。
【図３】図２の測定鉗子の押圧片の使用法を示す説明図である。
【符号の説明】
【００１７】
１    肛門内圧測定器                  ２    測定鉗子
３    鉗子部材                        ４    突き当て部
５    支持部                          ７    把持部
９    押圧片                          ９ｂ  接触部
１２  歪ゲージ                        １４  デジタル表示器
１６  肛門                            １６ａ  内壁
【図１】
2007054248.tif 000003
【図２】
2007054248.tif 000004
【図３】
2007054248.tif 000005